(57)【要約】【課題】建物内の暖気または冷気を屋外に逃がしにくく、断熱効果が高い建物構造を提供する。【解決手段】床１と壁２と天井３とで包囲される部屋４を備える。床１の下方に床下空間５、壁２の内部に壁内通気層６、天井３の上方に天井裏空間７をそれぞれ有する。部屋４は天井裏空間７に連通する通気口１１を有する。天井裏空間７は壁内通気層６と連通する。壁内通気層６は床下空間５と連通する。床下空間５に熱交換換気装置１３を有する。熱交換換気装置１３は、外気および床下空間５の床下空気を入気して外気と床下空気とを熱交換し、熱交換後の外気を部屋４に送気して部屋４の内部を陽圧にし、床下空間５、壁内通気層６および天井裏空間７を陰圧にして熱交換後の床下空気を屋外に排気する。【選択図】図１
0003197430.tif 000002
【実用新案登録請求の範囲】
【請求項１】
床と壁と天井とで包囲される部屋を備え、床の下方に床下空間、壁の内部に壁内通気層、天井の上方に天井裏空間をそれぞれ有する建物構造において、
前記部屋は前記天井裏空間に連通する通気口を有し、
前記天井裏空間は前記壁内通気層と連通し、前記壁内通気層は前記床下空間と連通し、
前記床下空間に熱交換換気装置を有し、
前記熱交換換気装置は、外気および前記床下空間の床下空気を入気して前記外気と前記床下空気とを熱交換し、熱交換後の前記外気を前記部屋に送気して前記部屋の内部を陽圧にし、前記床下空間、前記壁内通気層および前記天井裏空間を陰圧にして熱交換後の前記床下空気を屋外に排気する構成を有することを、
特徴とする建物構造。
【請求項２】
２階建てであって、前記部屋を１階および２階に有し、
各部屋の前記天井裏空間は前記壁内通気層と連通していることを、
特徴とする請求項１記載の建物構造。
【請求項３】
前記壁はパネル板により構成され、前記パネル板は気密性および防湿性を有するアルミフィルムで両面が被覆されていることを、
特徴とする請求項１または２記載の建物構造。
【請求項４】
脱臭および除菌装置を有し、前記熱交換換気装置は前記脱臭および除菌装置を介して脱臭および除菌後の外気を入気する構成を有することを、
特徴とする請求項１，２または３記載の建物構造。
【考案の詳細な説明】
【技術分野】
【０００１】
本考案は、熱交換換気装置を有する建物構造に関する。
【背景技術】
【０００２】
従来、壁に壁内通気層を設け、壁内通気層を床下空間および小屋裏と連通させ、小屋裏換気扇により小屋裏および壁内通気層を減圧する建物構造が開示されている（例えば、特許文献１参照）。
【先行技術文献】
【特許文献】
【０００３】
【特許文献１】特開２０１２−２００６号公報
【考案の概要】
【考案が解決しようとする課題】
【０００４】
特許文献１に記載の建物構造では、建物内の冬の暖気および夏の冷気が小屋裏換気扇からそのまま屋外に排気されるため、断熱効果が低いという課題があった。
【０００５】
本考案は、このような課題に着目してなされたもので、建物内の暖気または冷気を屋外に逃がしにくく、断熱効果が高い建物構造を提供することを目的とする。
【課題を解決するための手段】
【０００６】
上記目的を達成するために、本考案に係る建物構造は、床と壁と天井とで包囲される部屋を備え、床の下方に床下空間、壁の内部に壁内通気層、天井の上方に天井裏空間をそれぞれ有する建物構造において、前記部屋は前記天井裏空間に連通する通気口を有し、前記天井裏空間は前記壁内通気層と連通し、前記壁内通気層は前記床下空間と連通し、前記床下空間に熱交換換気装置を有し、前記熱交換換気装置は、外気および前記床下空間の床下空気を入気して前記外気と前記床下空気とを熱交換し、熱交換後の前記外気を前記部屋に送気して前記部屋の内部を陽圧にし、前記床下空間、前記壁内通気層および前記天井裏空間を陰圧にして熱交換後の前記床下空気を屋外に排気する構成を有することを、特徴とする。
【０００７】
本考案に係る建物構造では、熱交換換気装置により、外気と床下空気とを熱交換し、熱交換後の外気を部屋に送気し、熱交換後の床下空気を屋外に排気するので、建物内の暖気または冷気を屋外に逃がしにくく、熱効率が良好である。また、部屋の内部の空気は、天井裏空間から壁内通気層を通り、床下空間に抜けて排気されるため、部屋は暖気または冷気が残る空気で包囲され、高い断熱効果を得ることができる。
なお、熱交換後の外気を部屋に送気するとき、送気の温度および湿度を調整可能な冷暖房装置および湿度調整器を床下空間に設置してもよい。
【０００８】
本考案に係る建物構造は、２階建てであって、前記部屋を１階および２階に有し、各部屋の前記天井裏空間は前記壁内通気層と連通していてもよい。
本考案に係る建物構造において、前記壁はパネル板により構成され、前記パネル板は気密性および防湿性を有するアルミフィルムで両面が被覆されていることが好ましい。
【０００９】
この場合、気密性および防湿性を有するアルミフィルムで両面が被覆されたパネル板により、冬は屋外からの冷気を屋外に反射し部屋の暖気を屋内に反射し、夏は屋外からの熱気を屋外に反射し部屋の冷気を屋内に反射するため、冬は暖かく、夏は涼しく保つことができる。また、パネル板により屋外の湿気を遮断し、屋内の湿度を快適に保つことができる。
【００１０】
本考案に係る建物構造は、脱臭および除菌装置を有し、前記熱交換換気装置は前記脱臭および除菌装置を介して脱臭および除菌後の外気を入気する構成を有することが好ましい。
この場合、脱臭および除菌装置により脱臭および除菌後の外気を屋内に入気するので、部屋に排気ガスや花粉などが入り込むのを防ぐことができる。
【考案の効果】
【００１１】
本考案によれば、建物内の暖気または冷気を屋外に逃がしにくく、断熱効果が高い建物構造を提供することができる。
【図面の簡単な説明】
【００１２】
【図１】本考案の実施の形態の建物構造を示す概念図である。
【図２】本考案の他の実施の形態の建物構造を示す概念図である。
【図３】図２の建物構造の土台付近の構造を示す説明断面図である。
【考案を実施するための形態】
【００１３】
以下、図面に基づき本考案の実施の形態について説明する。
図１は、本考案の実施の形態の建物構造を示している。
図１に示すように、実施の形態の建物構造は、木造軸組工法による家屋に用いられている。建物構造は、床１と壁２と天井３とで包囲される部屋４を備え、床１の下方に床下空間５、壁２の内部に壁内通気層６、天井３の上方に天井裏空間７をそれぞれ有している。壁２は、外壁２ａと内壁２ｂとから構成され、壁内通気層６は外壁２ａと内壁２ｂとの間に形成される。外壁２ａはパネル板により構成されている。パネル板は、気密性および防湿性を有するアルミフィルムで両面が被覆されている。建物構造は、基礎８、外壁２ａおよび屋根９が気密性、防湿性および断熱性を有し、ドアおよび窓を除き、気密的にほぼ密閉可能となっている。
【００１４】
部屋４は、天井３に天井裏空間７に連通する通気口１１を有し、床１に床下空間５に連通する入気口１２を有する。部屋４は、床１が合板の上に床仕上材を設けて構成され、壁２が石膏ボードで構成され、天井３が天井板で構成されている。部屋４は、通気口１１、入気口１２、ドアおよび窓を除き、気密的にほぼ密閉可能となっている。天井裏空間７は壁内通気層６と連通し、壁内通気層６は床下空間５と連通している。
【００１５】
床下空間５の基礎８の上に、熱交換換気装置１３（全熱交換換気ユニット）を有している。熱交換換気装置１３は、基礎８を貫通して屋外に伸びる入気ダクト１４と、入気口１２に接続する送気ダクト１５と、床下空間５に延びる吸気ダクト１６と、基礎８を貫通して屋外に伸びる排気ダクト１７とを有している。入気ダクト１４には、脱臭および除菌装置１８が取り付けられている。入気ダクト１４からの外気は、脱臭および除菌装置１８を介して脱臭および除菌されて入気される。脱臭および除菌装置１８としては、プラズマ放電により活性酸素を発生させる装置が好ましい。送気ダクト１５には、熱交換後の外気を部屋に送気するとき、送気の温度および湿度を調整可能な冷暖房装置および湿度調整器を取り付けてもよい。
【００１６】
熱交換換気装置１３は、入気ダクト１４からの外気および吸気ダクト１６からの床下空間５の床下空気をファンにより入気して外気と床下空気とを熱交換し、熱交換後の外気を送気ダクト１５から部屋４に送気して部屋４の内部を陽圧にし、床下空間５、壁内通気層６および天井裏空間７を陰圧にして熱交換後の床下空気をファンにより排気ダクト１７から屋外に排気する構成を有している。
【００１７】
実施の形態の建物構造では、外気は脱臭および除菌装置１８により脱臭および除菌され、熱交換換気装置１３により入気ダクト１４から入気され、吸気ダクト１６から吸気された床下空気と熱交換される。熱交換された入気は、送気ダクト１５から部屋４内に入り、通気口１１から天井裏空間７に流れる。天井裏空間７の空気は壁内通気層６を通って床下空間５に流れ、床下空気は吸気ダクト１６を通り、熱交換換気装置１３により入気ダクト１４から入気された外気と熱交換される。熱交換後の床下空気は、排気ダクト１７から屋外に排気される。
【００１８】
このように、熱交換換気装置１３により熱交換後の外気を部屋４に送気し、熱交換後の床下空気を屋外に排気するので、建物内の暖気または冷気を屋外に逃がしにくく、熱効率が良好である。また、部屋４の内部の空気は、天井裏空間７から壁内通気層６を通り、床下空間５に抜けて排気されるため、部屋４は暖気または冷気が残る空気で包囲され、高い断熱効果を得ることができる。
【００１９】
特に、気密性および防湿性を有するアルミフィルムで両面が被覆されたパネル板により、冬は屋外からの冷気を屋外に反射し部屋４の暖気を屋内に反射し、夏は屋外からの熱気を屋外に反射し部屋４の冷気を屋内に反射するため、冬は暖かく、夏は涼しく保つことができる。また、パネル板により屋外の湿気を遮断し、屋内の湿度を快適に保つことができる。さらに、脱臭および除菌装置１８により脱臭および除菌後の外気を屋内に入気するので、部屋４に排気ガスや花粉などが入り込むのを防ぐことができる。
【００２０】
次に、他の実施の形態の建物構造について説明する。
図２は、本考案の実施の形態の建物構造を示している。
図２に示すように、他の実施の形態の建物構造は、２階建てであって、部屋４を１階および２階に有している。建物構造は、基礎８、外壁２ａおよび２階小屋裏床１９が気密性、防湿性および断熱性を有し、ドアおよび窓を除き、気密的にほぼ密閉可能となっている。また、各部屋４は、通気口１１、入気口１２、ドアおよび窓を除き、気密的にほぼ密閉可能となっている。
各部屋４は、天井３に天井裏空間７に連通する通気口１１を有し、床１に床下空間５に連通する入気口１２を有する。各部屋４の天井裏空間７は壁内通気層６と連通し、壁内通気層６は各床下空間５と連通している。１階の天井裏空間７は、２階の床下空間５と一致する。
【００２１】
図３に示すように、１階の壁内通気層６と床下空間５とは、床仕上材１ａとともに１階の床１を構成する合板１ｂの、土台２０の上に載る部分に欠込み１ｃを形成することにより連通している。同様に、２階の壁内通気層６と床下空間５とは、２階の床１を構成する合板１ｂの、床梁２１の上に載る部分に欠込みを形成することにより、連通している。
１階の床下空間５の基礎８の上に、熱交換換気装置１３を有している。熱交換換気装置１３の送気ダクト１５は、１階の床１の入気口１２に接続している。
他の構成および作用効果は、図１の建物構造とほぼ同様であり、同一の部材には同一の符号を付して重複する説明を省略する。
【符号の説明】
【００２２】
１  床
２  壁
２ａ  外壁
２ｂ  内壁
３  天井
４  部屋
５  床下空間
６  壁内通気層
７  天井裏空間
８  基礎
９  屋根
１１  通気口
１２  入気口
１３  熱交換換気装置
１４  入気ダクト
１５  送気ダクト
１６  吸気ダクト
１７  排気ダクト
１８  脱臭および除菌装置
１９  ２階小屋裏床
【図１】
0003197430.tif 000003
【図２】
0003197430.tif 000004
【図３】
0003197430.tif 000005